(57)【特許請求の範囲】
【請求項１】
本体部及び電源アダプタを備えるコンピュータであって、
前記本体部は、ハウジングと、前記ハウジングの内部に固定されるハードディスクと、支持部と、を備え、前記支持部は、前記ハードディスクを支持し、前記電源アダプタは、互いに反対側に位置して設けられる第一側板及び第二側板を備え、前記第一側板に位置決め片を設け、前記第二側板に取付片を設け、前記取付片を前記支持部に固定すると共に、前記位置決め片を前記ハウジングに固定することにより、前記電源アダプタを前記ハウジングの内部に装着することを特徴とするコンピュータ。
【請求項２】
前記ハウジングには、電池及びＣＤ−ＲＯＭドライブがさらに設けられ、前記電源アダプタを前記電池、前記ハードディスク及び前記ＣＤ−ＲＯＭドライブにより取り囲まれて形成された収容空間内に装着することを特徴とする請求項１に記載のコンピュータ。
【請求項３】
前記ハウジングは、カバーボードと、前記カバーボードの四つの縁からそれぞれ延伸する第一側壁、第二側壁、第三側壁及び第四側壁と、を備え、前記第一側壁を、前記第二側壁に対して平行に、且つ前記第三側壁と前記第四側壁とに対してそれぞれ垂直に連接させ、前記カバーボードの表面にはキーボードモジュール及びタッチパッドが装着され、前記カバーボードの背面には前記ハードディスク、前記支持部及び前記電源アダプタが装着されることを特徴とする請求項２に記載のコンピュータ。
【請求項４】
前記ＣＤ−ＲＯＭドライブは、光ディスクを収納するための収容部と、該ＣＤ−ＲＯＭドライブを駆動するための回路基板を装着するための取付部と、を備え、前記収容部は、前記取付部の側面から前記第二側壁に向かって突出し、前記ＣＤ−ＲＯＭドライブは前記第一側壁と前記第三側壁とが連接して形成された部分に装着され、該ＣＤ−ＲＯＭドライブは前記第一側壁と前記第三側壁とにそれぞれ当接されることを特徴とする請求項３に記載のコンピュータ。
【請求項５】
前記電源アダプタに凹部を設け、前記取付部から突出する前記収容部を前記凹部内に収納することを特徴とする請求項４に記載のコンピュータ。
【発明の詳細な説明】
【技術分野】
【０００１】
本発明は、コンピュータに関し、特にノート型のコンピュータに関するものである。
【背景技術】
【０００２】
現在、ノートパソコン及び小型パソコンにおいて、電源アダプタは独立して附属されている。従って、ユーザーが携帯する際は、電源アダプタも別途に携帯しなければならないため携帯に不便である。また別途に携帯することで、電源アダプタは外力の影響を受けて損傷し易い。
【発明の概要】
【発明が解決しようとする課題】
【０００３】
以上の問題点に鑑みて、本発明は、電源アダプタが内部に統合されたコンピュータを提供することを目的とする。
【課題を解決するための手段】
【０００４】
上記の目的を達成するために、本発明に係るコンピュータは、本体部及び電源アダプタを備える。前記本体部は、ハウジングと、前記ハウジングの内部に固定されるハードディスクと、支持部と、を備え、前記支持部は、前記ハードディスクを支持し、前記電源アダプタは、互いに反対側に位置して設けられる第一側板及び第二側板を備え、前記第一側板に位置決め片を設け、前記第二側板に取付片を設け、前記取付片を前記支持部に固定すると共に、前記位置決め片を前記ハウジングに固定することにより、前記電源アダプタを前記ハウジングの内部に装着する。
【発明の効果】
【０００５】
従来の技術と異なり、本発明のコンピュータは、電源アダプタの第一側板に位置決め片を設けると共に、第二側板に取付片を設ける。また、前記取付片をコンピュータのハウジングに設けられた支持部に固定し、前記位置決め片を前記ハウジングの位置決めピンに固定することにより、前記電源アダプタをコンピュータのハウジング内に強固に装着する。これにより、コンピュータを携帯する際に、コンピュータの本体と電源アダプタとを分離して携帯する必要がないため非常に便利である。
【図面の簡単な説明】
【０００６】
【図１】本発明の実施形態に係るコンピュータの斜視図である。
【図２】図１に示したコンピュータの部分分解図である。
【図３】図２に示したコンピュータを別の視点から見た分解図である。
【図４】図２に示したコンピュータの部分組立図である。
【発明を実施するための形態】
【０００７】
図１及び図２に示すように、本発明に係るコンピュータ１００は、本体部１０と、該本体部１０に固定される底板２０と、電源アダプタ３０と、を備える。以下の実施形態では、ノートパソコンを例として本発明のコンピュータ１００を詳細に説明する。
【０００８】
前記本体部１０は、ハウジング１１を備える。また、該ハウジング１１は、カバーボード１３と、該カバーボード１３の四つの縁からそれぞれ延伸する第一側壁１５、第二側壁１６、第三側壁１７及び第四側壁１８と、を備える。
【０００９】
第一側壁１５は、第二側壁１６に対して平行であり、且つ第三側壁１７及び第四側壁１８にほぼ垂直に連接される。カバーボード１３の表面（つまり、図２を平面視した際の上面）には、キーボードモジュール１３１とタッチパッド１３３とが装着されている。
【００１０】
図３を併せて参照すると、カバーボード１３の背面には、電池１３５、ハードディスク１３６及びＣＤ−ＲＯＭドライブ１３７が装着されている。電池１３５は、第二側壁１６に当接して設けられ、且つその一端は第三側壁１７に近接する。ハードディスク１３６は、カバーボード１３の中央部に装着され、且つ該カバーボード１３の背面に固定された支持部５０により支持される。ＣＤ−ＲＯＭドライブ１３７は、第一側壁１５と第三側壁１７とが連接して形成された部分に位置し、且つ第一側壁１５と第三側壁１７とに当接されている。支持部５０は、第三側壁１７に向かって延在する固定片５１を備える。本実施形態において、固定片５１は、カバーボード１３と互いに平行であり、且つ固定孔５１１を備える。
【００１１】
ＣＤ−ＲＯＭドライブ１３７は、収容部１３７１及び取付部１３７３を備える。収容部１３７１は、光ディスク（図示せず）を収納するために用いられ、且つ取付部１３７３の側面から第二側壁１６に向かって突出する。取付部１３７３は、ＣＤ−ＲＯＭドライブ１３７を駆動するための回路基板（図示せず）を装着するために用いられる。電源アダプタ３０は、電池１３５とハードディスク１３６とＣＤ−ＲＯＭドライブ１３７とにより取り囲まれて形成された収容空間６０内に装着される。また、カバーボード１３の背面における収容空間６０内には、位置決めピン１３０がさらに突設されている。この位置決めピン１３０には、位置決め孔１３０１が設けられている。
【００１２】
電源アダプタ３０は、天板３１と、天板３１に対してほぼ平行な底板３２と、第一側板３３と、第一側板３３に対してほぼ平行な第二側板３５と、を備える。天板３１は、第一側板３３と第二側板３５とにそれぞれ垂直に連接されている。また、天板３１には、凹部３６が設けられている。第一側板３３には、電源アダプタ３０の外側へ延伸する位置決め片３３１が設けられている。位置決め片３３１は、第一側板３３に対して垂直であり、且つロック孔３３１１を有する。第二側板３５には、電源アダプタ３０の外側（つまり、位置決め片３３１が延伸する方向とは反対の方向）へ延伸する取付片３５１が設けられている。取付片３５１は、第二側板３５に対して垂直であり、且つ取付孔３５１１を有する。
【００１３】
図４を併せて参照すると、本発明のコンピュータを組み立てる際、先ず、電源アダプタ３０を、カバーボード１３の背面に押し付けるように収容空間６０内に設置する。この際、凹部３６は、ＣＤ−ＲＯＭドライブ１３７の取付部１３７３から突出する収容部１３７１を収納して、電源アダプタ３０とＣＤ−ＲＯＭドライブ１３７との衝突を防止する。次に、位置決め片３３１を位置決めピン１３０の先端に設置して、ロック孔３３１１を位置決め孔１３０１と同一軸線上に位置させる。この際、取付片３５１を支持部５０の固定片５１と互いに当接させて、取付孔３５１１を固定孔５１１と同一軸線上に位置させる。最後に、ネジなどの固定部品をロック孔３３１１及び位置決め孔１３０１内に挿入して、電源アダプタ３０の位置決め片３３１を位置決めピン１３０に螺着させる。また、もう１つのネジなどの固定部品を取付孔３５１１及び固定孔５１１内に挿入して、支持部５０の固定片５１を電源アダプタ３０の取付片３５１に螺着させる。これにより、電源アダプタ３０を本体部１０の内部に強固に且つ安定して固定することができる。
【００１４】
他の実施形態において、電源アダプタ３０を本体部１０の他の位置に装着しても良い。また、係合によって電源アダプタ３０を本体部１０に固定することもできる。
【００１５】
以上、本発明の好ましい実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、言うまでもない。
【符号の説明】
【００１６】
１０          本体部
１１          ハウジング
１３          カバーボード
１５          第一側壁
１６          第二側壁
１７          第三側壁
１８          第四側壁
２０          底板
３０          電源アダプタ
３１          天板
３２          底板
３３          第一側板
３５          第二側板
３６          凹部
５０          支持部
５１          固定片
６０          収容空間
１００        コンピュータ
１３０        位置決めピン
１３１        キーボードモジュール
１３３        タッチパッド
１３５        電池
１３６        ハードディスク
１３７        ＣＤ−ＲＯＭドライブ
３３１        位置決め片
３５１        取付片
５１１        固定孔
１３０１      位置決め孔
１３７１      収容部
１３７３      取付部
３３１１      ロック孔
３５１１      取付孔
【図１】
0005956329.tif 000002
【図２】
0005956329.tif 000003
【図３】
0005956329.tif 000004
【図４】
0005956329.tif 000005